(57)【要約】【課題】  半二重通信による音声通話及び双方向通信による音声通話を、ユーザの用途に即座に対応して使用することのできる携帯電話端末を得る。【解決手段】  パケット交換方式による半二重音声通話機能及び回線交換方式による双方向音声通話機能を有する携帯電話端末において、無線ネットワークと無線データを送受信する無線部と、上記半二重音声通話の参加者の中から上記双方向音声通話に移行する参加者を指定する操作部と、この操作部の操作により上記双方向音声通話に移行する参加者が指定されると、上記半二重音声通話からの離脱を要求する離脱要求信号及び指定された上記参加者との双方向音声通話の開始を要求する音声発信信号を上記無線部から送信し、上記参加者との双方向音声通話が終了するときには、半二重音声通話への復帰を要求する復帰要求信号を上記無線部から送信するよう制御する通信制御部とを備えるようにした。【選択図】          図２
2008187637.tif 000002
【特許請求の範囲】
【請求項１】
パケット交換方式による半二重音声通話機能及び回線交換方式による双方向音声通話機能を有する携帯電話端末において、
無線ネットワークと無線データを送受信する無線部と、
上記半二重音声通話の参加者の中から上記双方向音声通話に移行する参加者を指定する操作部と、
この操作部の操作により上記双方向音声通話に移行する参加者が指定されると、上記半二重音声通話からの離脱を要求する離脱要求信号及び指定された上記参加者との双方向音声通話の開始を要求する音声発信信号を上記無線部から送信し、
上記参加者との双方向音声通話が終了するときには、半二重音声通話への復帰を要求する復帰要求信号を上記無線部から送信するよう制御する通信制御部と
を備えたことを特徴とする携帯電話端末。
【請求項２】
パケット交換方式による半二重音声通話機能及び回線交換方式による双方向音声通話機能を有する携帯電話端末において、
無線ネットワークと無線データを送受信する無線部と、
上記半二重音声通話の参加者が該半二重音声通話を離脱することを通知する離脱通知信号及び当該参加者から双方向音声通話を開始する音声着信信号を、上記無線部を介して受信し、
上記参加者との双方向音声通話が終了するときには、半二重音声通話への復帰を要求する復帰要求信号を上記無線部を介して受信する通信制御部と
を備えたことを特徴とする携帯電話端末。
【請求項３】
パケット交換方式による半二重音声通話機能及び回線交換方式による双方向音声通話機能を有する携帯電話端末において、
無線ネットワークと無線データを送受信する無線部と、
外部から音声を入力する音声入力部と、
上記半二重音声通話の参加者の中から上記双方向音声通話に移行する参加者を指定する操作部と、
この操作部の操作により上記双方向音声通話に移行する参加者が指定されると、指定された上記参加者との上記双方向音声通話の開始を要求する音声発信信号を上記無線部から送信し、
上記半二重音声通話から上記双方向音声通話に移行した場合には、上記音声入力部から入力した音声及び無線ネットワークから受信した上記双方向音声通話中の相手の音声を上記無線部から送信し、
上記参加者との上記双方向音声通話が終了するときには、上記半二重音声通話への復帰を要求する復帰要求信号を上記無線部から送信するよう制御する通信制御部と
を備えたことを特徴とする携帯電話端末。
【請求項４】
パケット交換方式による半二重音声通話機能及び回線交換方式による双方向音声通話機能を有する携帯電話端末において、
無線ネットワークと無線データを送受信する無線部と、
上記半二重音声通話の参加者が上記双方向音声通話へ移行することを通知する移行通知信号及び当該参加者から上記双方向音声通話を要求する音声着信信号を、上記無線部を介して受信し、
上記参加者との双方向音声通話が終了するときには、上記双方向音声通話への復帰を要求する復帰要求信号を上記無線部から受信する通信制御部と、
上記双方向音声通話中の相手から受信した当該双方向音声通話の音声を出力する音声出力部と
を備えたことを特徴とする携帯電話端末。
【請求項５】
パケット交換方式による半二重音声通話機能及び回線交換方式による双方向音声通話機能を有する携帯電話端末において、
無線ネットワークと無線データを送受信する無線部と、
上記双方向音声通話中に上記半二重音声通話に移行する第三の参加者を指定する操作部と、
この操作部の操作により上記半二重音声通話に移行する参加者が指定されると、指定された上記第三の参加者及び双方向音声通話中の相手に対し、上記半二重音声通話を開始する半二重音声通話開始信号を無線部から送信するよう制御する通信制御部と
を備えたことを特徴とする携帯電話端末。
【請求項６】
パケット交換方式による半二重音声通話は、ＰｏＣ（Ｐｕｓｈ−ｔｏ−Ｔａｌｋ  ｏｖｅｒ  Ｃｅｌｌｕｌａｒ）であることを特徴とする請求項１〜５のいずれか１項に記載の携帯電話端末。
【発明の詳細な説明】
【技術分野】
【０００１】
この発明は、パケット交換方式による半二重音声通話機能及び回線交換方式による双方向音声通話機能を有する携帯電話端末に関する。
【背景技術】
【０００２】
近年、双方向通信の音声通話機能に加えて、ＰｏＣ（Ｐｕｓｈ−ｔｏ−Ｔａｌｋ  ｏｖｅｒ  Ｃｅｌｌｕｌａｒ）による通話機能を有する携帯電話端末が普及している。
音声電話による通話は互いに同時に会話をすることのできる双方向通話であるのに対し、ＰｏＣでは、相手との接続後は通話用のボタンを押している間だけ相手に自分の音声を送ることができるが、ボタンを押している間は相手からの声は聞こえない、いわゆる半二重通話である。また、１対１の通話だけではなく、グルーピングした複数の相手との同時接続も可能であり、この場合は、ボタンを押している端末からの音声が、残りの全端末に送信される。また、通常の回線交換方式と違ってデータ通信網を利用したパケット交換方式であるため、誰も発言していない間は通信が行われないので通話コストが安くなり、利用者にとってのメリットも大きい。
【０００３】
また、複数の通信システムに対応する通信機能を設けた移動体通信端末として、各通信システムに対応する通信機能の通信状態を監視し、ユーザの選択条件を満たす通信システムに使用する通信システムを切り替えながら通信する移動体通信端末装置がある（例えば、特許文献１参照）。
【０００４】
【特許文献１】特開２００４−３５６８１５号公報（第５−１７頁、図２）
【発明の開示】
【発明が解決しようとする課題】
【０００５】
３人以上の通話に焦点を当てた場合、双方向通信の音声通話では、発言を聞いているユーザは誰が発言しているのかを判断するのが難しいという問題点があった。
一方、ＰｏＣによる音声通話では、発言権を取得した一人だけが発言可能となり、その間、他の通話参加者は発言することができないので、例えば、意見を交換しながら物事を決定する場合には頻繁に通話用のボタンを押したり離したりすることになり、利用者は余計な時間と手間がかかってしまうという問題点があった。
【０００６】
この発明は、上記のような問題点を解消するためになされたもので、半二重通信による音声通話及び双方向通信による音声通話を、ユーザの用途に即座に対応して使用することのできる携帯電話端末を得ることを目的とするものである。
【課題を解決するための手段】
【０００７】
この発明は、パケット交換方式による半二重音声通話機能及び回線交換方式による双方向音声通話機能を有する携帯電話端末において、無線ネットワークと無線データを送受信する無線部と、上記半二重音声通話の参加者の中から上記双方向音声通話に移行する参加者を指定する操作部と、この操作部の操作により上記双方向音声通話に移行する参加者が指定されると、上記半二重音声通話からの離脱を要求する離脱要求信号及び指定された上記参加者との双方向音声通話の開始を要求する音声発信信号を上記無線部から送信し、上記参加者との双方向音声通話が終了するときには、半二重音声通話への復帰を要求する復帰要求信号を上記無線部から送信するよう制御する通信制御部とを備えたものである。
【発明の効果】
【０００８】
この発明に係る携帯電話端末は、半二重音声通話及び双方向音声通話を、ユーザの用途に合わせて容易に選択して使用できるので、半二重音声通話と双方向音声通話との利点を活かしつつ欠点を補うことができ、携帯電話端末によるコミュニケーション手段の利便性を向上させることができる効果がある。
【発明を実施するための最良の形態】
【０００９】
実施の形態１．
図１は、本発明に係る携帯電話端末１が無線ネットワーク２を介して通話を行う際のシステム構成図である。無線ネットワーク２は、無線基地局、ＰｏＣ制御部３及び音声電話制御部４を含む。
【００１０】
図２は、本発明に係る携帯電話端末１のブロック構成図であり、携帯電話端末１全体の制御を司る制御部５、音声入力部としてのマイク６、音声出力部としてのスピーカ７、表示・入力部８、及びアンテナ部９で構成される。
また、制御部５は、マイク６からの音声入力及びスピーカ７への音声出力を制御する音声入出力制御部１０、ＰｏＣ通話の発着信及び通話中の制御を行うＰｏＣ制御部１１、音声電話の発着信及び通話中の制御を行う音声電話制御部１２、ＰｏＣ通話及び音声電話の通信を制御する通信制御部１３、ＰｏＣ通話中及び音声電話中の画面表示及びキー入力を制御する表示及び操作部としての表示・入力制御部１４、無線ネットワーク２との無線データの送受信を制御する無線制御部１５で構成される。
【００１１】
図３は、ＰｏＣ通話中の表示・入力部８に表示される表示画面であり、主に、発言権を取得中のメンバー（Ｂ）を表示するための領域１６と、ＰｏＣ通話に参加中のメンバー（Ｂ、Ｃ及びＤ）のリストを表示するための領域１７とで構成されている。この表示画面では、携帯電話端末１のユーザは、表示・入力部８を操作することでＰｏＣ通話参加中のメンバーのリストから一人を選択することが可能である。図においては、選択されているメンバー（Ｂ）が網掛け表示されており、他のメンバー（Ｃ及びＤ）とは区別して表示されている。また、ＰｏＣ通話中にユーザが音声電話をするためのキー１８をタッチすることにより、選択されているメンバー（Ｂ）に対してＰｏＣ内の音声電話（以降、ＰｏＣ内電話）の発信が開始される。
【００１２】
図４は、実施の形態１に係るＰｏＣ内電話発信時、およびＰｏＣ内電話終了時の携帯電話端末１内の各モジュール間における動作を示すシーケンス図である。
【００１３】
以下、図２及び図４を用いてＰｏＣ内電話の動作について説明する。
まず、ＰｏＣ通話中にユーザが音声電話するためのキー１８を操作すると、ＰｏＣ内電話の発信操作が行われたことを表示・入力制御部１４を介してＰｏＣ制御部１１に通知される。ＰｏＣ制御部１１は、通信制御部１３に対してＰｏＣ呼からの離脱を要求する離脱要求メッセージの送信を指示し（ＳＴ４０１）、音声入出力制御部１０に対してＰｏＣモードの終了を指示し（ＳＴ４０２）、音声電話制御部１２に対してＰｏＣ内電話発信を指示する（ＳＴ４０３）。
【００１４】
ＰｏＣ制御部１１からの指示を受けた通信制御部１３は、無線制御部１５及びアンテナ部９を介して無線ネットワーク２へＰｏＣ呼からの離脱要求メッセージを送信する。
ＰｏＣ制御部１１からの指示を受けた音声入出力制御部１０は、ＰｏＣモードを終了する。
ＰｏＣ制御部１１からの指示を受けた音声電話制御部１２は、通信制御部１３に対して音声電話の発信を指示し、指示を受けた通信制御部１３は、無線制御部１５及びアンテナ部９を介して無線ネットワーク２へ音声電話の発信要求信号を送信する。
【００１５】
通信制御部１３は、アンテナ部９及び無線制御部１５を介して無線ネットワーク２から音声電話の発信応答信号を受信すると、音声電話の発信応答があったことを音声電話制御部１２に通知する。
【００１６】
音声電話の発信応答の通知を受けた音声電話制御部１２は、音声入出力制御部１０に音声電話モードの開始を指示し（ＳＴ４０４）、ＰｏＣ制御部１１に対してＰｏＣ内電話の発信応答があったことを通知する（ＳＴ４０５）。
【００１７】
音声電話制御部１２からＰｏＣ内電話の発信応答の通知を受けたＰｏＣ制御部１１は、ＰｏＣ内電話の状態となる。
音声電話制御部１２からの指示を受けた音声入出力制御部１０は音声電話モードに移行し、マイク６から入力される音声を音声電話制御部１２、通信制御部１３、無線制御部１５及びアンテナ部９を介して無線ネットワーク２に送出し、無線ネットワーク２からアンテナ部９、無線制御部１５、通信制御部１３及び音声電話制御部１２を介して受信した音声電話の相手の音声をスピーカ７から出力する（ＳＴ４０６）。
【００１８】
次に、ユーザが音声電話を終了するためのキー１８部分をタッチすると、ＰｏＣ内電話の終了操作が行われたことを表示・入力制御部１４を介してＰｏＣ制御部１１に通知される。
ＰｏＣ制御部１１は、音声電話制御部１２に対してＰｏＣ内電話の終了を指示する（ＳＴ４０７）。
音声電話制御部１２が、通信制御部１３に対して音声電話の切断を要求する切断要求メッセージの送信を指示すると、通信制御部１３は、無線制御部１５及びアンテナ部９を介して無線ネットワーク２へ音声電話の切断要求メッセージを送信する。
【００１９】
通信制御部１３は、アンテナ部９及び無線制御部１５を介して無線ネットワーク２から音声電話の切断応答を受信すると、音声電話の切断応答があったことを音声電話制御部１２に通知する。
音声電話の切断応答の通知を受けた音声電話制御部１２は、音声入出力制御部１０に音声電話モードの終了を指示し（ＳＴ４０８）、ＰｏＣ制御部１１に対してＰｏＣ内電話の終了応答があったことを通知する（ＳＴ４０９）。
【００２０】
音声電話制御部１２からＰｏＣ内電話の終了応答の通知を受けたＰｏＣ制御部１１が、通信制御部１３に対してＰｏＣ呼への復帰要求メッセージの送信を指示すると、通信制御部１３は、無線制御部１５及びアンテナ部９を介して無線ネットワーク２へＰｏＣ呼の復帰を要求する復帰要求メッセージを送信する（ＳＴ４１０）。
【００２１】
通信制御部１３は、アンテナ部９及び無線制御部１５を介して無線ネットワーク２からＰｏＣ呼の復帰応答を受信すると、ＰｏＣ呼の復帰応答があったことをＰｏＣ制御部１１に通知する。
ＰｏＣ呼の復帰応答の通知を受けたＰｏＣ制御部１１が、音声入出力制御部１０にＰｏＣモードの開始を指示すると（ＳＴ４１１）、音声入出力制御部１０は、ＰｏＣモードでのマイク６及びスピーカ７の制御を開始する。
【００２２】
次に、図５は、実施の形態１に係る携帯電話端末１Ａ、１Ｂ、１Ｃ及び１ＤがＰｏＣ通話を行っている際に、携帯電話端末１Ａと携帯電話端末１Ｂとの間でＰｏＣ内電話を行った場合の、無線ネットワーク２を含めたＰｏＣ内電話システムの流れを示すシーケンス図である。
【００２３】
まず、携帯電話端末１Ａ、１Ｂ、１Ｃ及び１ＤがＰｏＣ通話を行っているときに、携帯電話端末１Ａのユーザが携帯電話端末１Ｂに対するＰｏＣ内電話の発信操作を行うと、携帯電話端末１Ａは無線ネットワーク２に対してＰｏＣ呼からの離脱要求メッセージを送信する（ＳＴ５０１）。離脱要求メッセージを受信した無線ネットワーク２のＰｏＣ制御部３は、携帯電話端末１ＡがＰｏＣ呼から離脱したことを携帯電話端末１Ｂ、１Ｃ及び１Ｄに対して通知する（ＳＴ５０２）。
続いて携帯電話端末１Ａは無線ネットワーク２に対して携帯電話端末１Ｂに対する音声電話の発信信号を送信し（ＳＴ５０３）、無線ネットワーク２の音声電話制御部４は、携帯電話端末１Ａからの音声着信を通知する音声着信信号を携帯電話端末１Ｂに対して送信する。
【００２４】
ＰｏＣ通話中に音声着信信号を受信した携帯電話端末１Ｂは、音声電話発信者が、離脱者を含めたＰｏＣ通話のメンバー（携帯電話端末１Ａ、１Ｂ、１Ｃ及び１Ｄ）の中に存在するか否かをチェックし、存在する場合はＰｏＣ内電話の着信であると判定し、存在しない場合は音声電話の着信であると判定する。この実施の形態１では、音声電話発信者は携帯電話端末１Ａであるので、ＰｏＣ通話の着信であると判断し、ＰｏＣ内電話の着信であることを携帯電話端末１Ｂの表示・入力部８に表示する。
【００２５】
携帯電話端末１ＢのユーザがＰｏＣ内電話の着信に応答すると、携帯電話端末１Ｂは無線ネットワーク２に対してＰｏＣ呼からの離脱を要求する離脱要求メッセージを送信し、無線ネットワーク２のＰｏＣ制御部３は、携帯電話端末１ＢがＰｏＣ呼から離脱したことを携帯電話端末１Ｃ及び１Ｄに対して通知する（ＳＴ５０４）。
続いて携帯電話端末１Ｂは無線ネットワーク２に対して携帯電話端末１Ａからの音声電話の着信に応答する着信応答信号を送信し（ＳＴ５０５）、無線ネットワーク２の音声電話制御部４は、携帯電話端末１Ｂからの音声着信の着信応答信号を携帯電話端末１Ａに対して送信する（ＳＴ５０６）。
【００２６】
携帯電話端末１Ａは、無線ネットワーク２から音声電話の着信応答信号を受信すると、携帯電話端末１Ａ及び携帯電話端末１Ｂは、携帯電話端末１Ａ及び１Ｂ間でのＰｏＣ内電話の状態となる。また、携帯電話端末１Ａ及び１ＢがＰｏＣ呼から離脱したという通知を受けた携帯電話端末１Ｃ及び１Ｄは、携帯電話端末１Ｃ及び１Ｄ間でのＰｏＣ通話を継続している。
【００２７】
その後、携帯電話端末１ＡのユーザがＰｏＣ内電話を終了する操作を行うと、携帯電話端末１Ａは無線ネットワーク２に対して音声電話を終了する終了信号を送信する（ＳＴ５０７）。
続けて、携帯電話端末１Ａは無線ネットワーク２に対してＰｏＣ呼への復帰を要求する復帰要求メッセージを送信すると、無線ネットワーク２のＰｏＣ制御部３は、携帯電話端末１Ａに復帰応答信号を送信し、携帯電話端末１ＡがＰｏＣ呼へ復帰することを携帯電話端末１Ｃ及び１Ｄに対して通知する（ＳＴ５０８）。
【００２８】
ＳＴ５０７で携帯電話端末１Ａから音声電話の終了の通知を受けた無線ネットワーク２の音声電話制御部４が、携帯電話端末１Ｂに対して携帯電話端末１Ａとの音声電話を切断する切断信号を送信する（ＳＴ５０９）。携帯電話端末１Ｂが無線ネットワーク２に対してＰｏＣ呼への復帰要求信号を送信すると、無線ネットワーク２のＰｏＣ制御部３は、携帯電話端末１ＢがＰｏＣ呼へ復帰することを携帯電話端末１Ａ、１Ｃ及び１Ｄに対して通知する（ＳＴ５１０）。
【００２９】
携帯電話端末１Ａ、１Ｃ、１Ｄが、無線ネットワーク２から携帯電話端末１ＢがＰｏＣ呼に復帰するという通知を受けると、携帯電話端末１Ａ、１Ｂ、１Ｃ及び１Ｄは、再び携帯電話端末１Ａ、１Ｂ、１Ｃ及び１Ｄ間でＰｏＣ通話を行っている状態に戻る。
【００３０】
このように実施の形態１では、複数人でＰｏＣ通話を行っているときに、一部の参加者間で容易に音声電話に移行して双方向音声通話によるコミュニケーションをとることができ、音声電話の終話後、容易に元のＰｏＣ通話に戻ることができる。
【００３１】
実施の形態２．
実施の形態１ではＰｏＣ内電話の状態を携帯電話端末１で管理していたが、実施の形態２は無線ネットワーク２で各携帯電話端末１のＰｏＣ内電話の状態を管理するものである。
【００３２】
図６は、実施の形態２に係る携帯電話端末１のＰｏＣ内電話中における音声伝達に関する制御部５の構成を図２から抜粋したモジュール構成図であり、図７は、実施の形態２に係りＰｏＣ内電話発信時、およびＰｏＣ内電話終了時の携帯電話端末１内の各モジュール間における動作を示すシーケンス図である。
以下、図６及び図７を用いてＰｏＣ内電話の動作について説明する。
【００３３】
まず、ＰｏＣ通話中にユーザが音声電話するためのキー１８を操作すると、ＰｏＣ内電話の発信操作が行われたことを表示・入力制御部１４を介してＰｏＣ制御部１１に通知される。ＰｏＣ制御部１１は、通信制御部１３に対してＰｏＣ内電話状態への遷移を要求する遷移要求メッセージの送信を指示し（ＳＴ７０１）、音声入出力制御部１０に対してＰｏＣモードの終了を指示し（ＳＴ７０２）、音声電話制御部１２に対してＰｏＣ内電話の発信を指示する（ＳＴ７０３）。
【００３４】
ＰｏＣ制御部１１からの指示を受けた通信制御部１３は、無線制御部１５及びアンテナ部９を介して無線ネットワーク２へＰｏＣ内電話状態への遷移要求メッセージを送信する。
ＰｏＣ制御部１１からの指示を受けた音声入出力制御部１０は、ＰｏＣモードを終了する。
ＰｏＣ制御部１１からの指示を受けた音声電話制御部１２は、通信制御部１３に対して音声電話の発信を指示すると、通信制御部１３は、無線制御部１５及びアンテナ部９を介して無線ネットワーク２へ音声電話の発信要求信号を送信する。
【００３５】
通信制御部１３は、アンテナ部９及び無線制御部１５を介して無線ネットワーク２から音声電話の発信応答信号を受信すると、音声電話の発信応答信号を受信したことを音声電話制御部１２に通知する。
音声電話の発信応答の通知を受けた音声電話制御部１２は、ＰｏＣ制御部１１に対してＰｏＣ内電話の発信応答があったことを通知する（ＳＴ７０４）。
【００３６】
ＰｏＣ内電話の発信応答の通知を受けたＰｏＣ制御部１１は、通信制御部１３に対してＰｏＣ通話の発言権取得を指示する（ＳＴ７０５）。指示を受けた通信制御部１３は、無線制御部１５及びアンテナ部９を介して無線ネットワーク２へ発言権取得の要求信号を送信する。
通信制御部１３は、アンテナ部９及び無線制御部１５を介して無線ネットワーク２から発言権取得の応答信号を受信すると、発言権取得の応答を受信したことをＰｏＣ制御部１１に通知する。
【００３７】
発言権取得の応答の通知を受けたＰｏＣ制御部１１は、音声入出力制御部１０にＰｏＣ内電話モードの開始を指示し（ＳＴ７０６）、ＰｏＣ内電話の状態となる。
【００３８】
ＰｏＣ制御部１１からの指示を受けた音声入出力制御部１０は、ＰｏＣ内電話モードとなり、図６のように、無線ネットワーク２からアンテナ部９、無線制御部１５、通信制御部１３及び音声電話制御部１２を介して受信した音声をスピーカ７から出力するとともに、マイク６から入力される音声と受信した音声をミキシングして、ＰｏＣ制御部１１は、通信制御部１３、無線制御部１５及びアンテナ部９を介して無線ネットワーク２に送出する。
【００３９】
次に、ユーザが音声電話を終了するためのキー１８部分をタッチすると、ＰｏＣ内電話の終了操作が行われたことを表示・入力制御部１４を介してＰｏＣ制御部１１に通知される。
ＰｏＣ制御部１１は、音声電話制御部１２に対してＰｏＣ内電話の終了を指示する（ＳＴ７０７）。
音声電話制御部１２が、通信制御部１３に対して音声電話の切断を要求する切断要求メッセージの送信を指示すると、通信制御部１３は、無線制御部１５及びアンテナ部９を介して無線ネットワーク２へ音声電話の切断要求メッセージを送信する。
【００４０】
通信制御部１３は、アンテナ部９及び無線制御部１５を介して無線ネットワーク２から音声電話の切断応答信号を受信すると、音声電話の切断応答信号を受信したことを音声電話制御部１２に通知する。
音声電話の切断応答の通知を受けた音声電話制御部１２は、ＰｏＣ制御部１１に対してＰｏＣ内電話の終了応答があったことを通知し（ＳＴ７０８）、ＰｏＣ内電話の終了応答の通知を受けたＰｏＣ制御部１１は、音声入出力制御部１０にＰｏＣ内電話モードの終了を指示する（ＳＴ７０９）。
【００４１】
音声電話制御部１２からＰｏＣ内電話の終了応答の通知を受けたＰｏＣ制御部１１が、通信制御部１３に対してＰｏＣ呼への復帰を要求する復帰要求メッセージの送信を指示すると、通信制御部１３は、無線制御部１５及びアンテナ部９を介して無線ネットワーク２へＰｏＣ呼の復帰要求メッセージを送信する（ＳＴ７１０）。
通信制御部１３は、アンテナ部９及び無線制御部１５を介して無線ネットワーク２からＰｏＣ呼の復帰応答信号を受信すると、ＰｏＣ呼の復帰応答を受信したことをＰｏＣ制御部１１に通知する。
【００４２】
ＰｏＣ呼の復帰応答の通知を受けたＰｏＣ制御部１１が、音声入出力制御部１０にＰｏＣモードの開始を指示すると（ＳＴ７１１）、音声入出力制御部１０は、ＰｏＣモードでのマイク６及びスピーカ７の制御を開始する。
【００４３】
次に、図８は、実施の形態２に係る携帯電話端末１Ａ、１Ｂ、１Ｃ及び１ＤがＰｏＣ通話を行っている際に、携帯電話端末１Ａと携帯電話端末１Ｂとの間でＰｏＣ内電話を行った場合の、無線ネットワーク２を含めたＰｏＣ内電話システムの流れを示すシーケンス図である。
【００４４】
まず、携帯電話端末１Ａ、１Ｂ、１Ｃ及び１ＤがＰｏＣ通話を行っているときに、携帯電話端末１Ａのユーザが携帯電話端末１Ｂに対するＰｏＣ内電話の発信操作を行うと、携帯電話端末１Ａは無線ネットワーク２に対してＰｏＣ内電話状態への遷移要求メッセージを送信する（ＳＴ８０１）。遷移要求メッセージを受信した無線ネットワーク２のＰｏＣ制御部３は、携帯電話端末１ＡがＰｏＣ内電話状態に遷移したことを携帯電話端末１Ａ、１Ｂ、１Ｃ及び１Ｄに対して通知する（ＳＴ８０２）。
続いて携帯電話端末１Ａは無線ネットワーク２に対して携帯電話端末１Ｂに対する音声電話の発信信号を送信し（ＳＴ８０３）、無線ネットワーク２の音声電話制御部４は、携帯電話端末１Ａからの音声着信を通知する音声着信信号を携帯電話端末１Ｂに対して送信する。
【００４５】
ＰｏＣ通話中に音声着信信号を受信した携帯電話端末１Ｂは、音声電話発信者が、ＰｏＣ通話のメンバー（携帯電話端末１Ａ、１Ｂ、１Ｃ及び１Ｄ）の中に存在するか否かをチェックし、存在する場合はＰｏＣ内電話の着信であると判定し、存在しない場合は音声電話の着信であると判定する。この実施の形態２では、音声電話発信者は携帯電話端末１Ａであるので、ＰｏＣ通話の着信であると判断し、ＰｏＣ内電話の着信であることを携帯電話端末１Ｂの表示・入力部８に表示する。
【００４６】
携帯電話端末１ＢのユーザがＰｏＣ内電話の着信に応答すると、携帯電話端末１Ｂは無線ネットワーク２に対してＰｏＣ通話内電話の状態への遷移を要求する遷移要求メッセージを送信し、無線ネットワーク２のＰｏＣ制御部３は、携帯電話端末１ＢがＰｏＣ電話状態に遷移したことを携帯電話端末１Ａ、１Ｂ、１Ｃ及び１Ｄに対して通知する（ＳＴ８０４）。
続いて携帯電話端末１Ｂは無線ネットワーク２に対して携帯電話端末１Ａからの音声電話の着信に応答する着信応答信号を送信し（ＳＴ８０５）、無線ネットワーク２の音声電話制御部４は、携帯電話端末１Ｂからの音声着信の応答信号を携帯電話端末１Ａに対して送信する（ＳＴ８０６）。
【００４７】
携帯電話端末１Ａは、無線ネットワーク２から音声電話の着信応答信号を受信すると、無線ネットワーク２に対して発言権取得の要求メッセージを送信し、無線ネットワーク２のＰｏＣ制御部３は、携帯電話端末１Ａが発言権を取得したことを携帯電話端末１Ａ、１Ｂ、１Ｃ及び１Ｄに対して通知する（ＳＴ８０７）。
これにより、携帯電話端末１Ａ及び携帯電話端末１Ｂは、ＰｏＣ内電話を行っている状態となり、携帯電話端末１Ａのマイク６から入力される音声と、携帯電話端末１Ｂから受信した音声をミキシングした音声データを無線ネットワーク２へ送出し、携帯電話端末１Ｂ、１Ｃ及び１Ｄは無線ネットワーク２から携帯電話端末１Ａ及び携帯電話端末１Ｂ間の通話内容の音声データをＰｏＣの通話音声として受信する（ＳＴ８０８）。但し、携帯電話端末１Ｂは受信したＰｏＣの通話音声としての音声データは破棄する（ＳＴ８０９）。
【００４８】
その後、携帯電話端末１ＡのユーザがＰｏＣ内電話を終了する操作を行い、携帯電話端末１Ａは無線ネットワーク２に対して発言権開放を要求する開放要求信号を送信すると、無線ネットワーク２のＰｏＣ制御部３は、携帯電話端末１Ａの発言権を開放したことを携帯電話端末１Ａ、１Ｂ、１Ｃ及び１Ｄに対して通知する（ＳＴ８１０）。
【００４９】
携帯電話端末１Ａが音声電話を終了する終了信号、及びＰｏＣ呼への復帰を要求する復帰要求メッセージを無線ネットワーク２に対して送信すると（ＳＴ８１１）、無線ネットワーク２のＰｏＣ制御部３は、携帯電話端末１ＡがＰｏＣ呼へ復帰することを携帯電話端末１Ａ、１Ｂ、１Ｃ及び１Ｄに対して通知する（ＳＴ８１２）。
ＳＴ８１１で携帯電話端末１Ａから音声電話の終了の通知を受けた無線ネットワーク２の音声電話制御部４は、携帯電話端末１Ｂに対して携帯電話端末１Ａとの音声電話を切断する切断信号を送信する（ＳＴ８１３）。携帯電話端末１Ｂが無線ネットワーク２に対してＰｏＣ呼への復帰を要求する復帰要求メッセージを送信すると、携帯電話端末１Ｂから復帰要求メッセージを受信した無線ネットワーク２のＰｏＣ制御部３は、携帯電話端末１ＢがＰｏＣ呼へ復帰することを携帯電話端末１Ａ、１Ｃ及び１Ｄに対して通知する（ＳＴ８１４）。
【００５０】
無線ネットワーク２から携帯電話端末１ＢがＰｏＣ呼に復帰するという通知を受けた携帯電話端末１Ａ、１Ｂ、１Ｃ及び１Ｄは、再び携帯電話端末１Ａ、１Ｂ、１Ｃ及び１Ｄ間でＰｏＣ呼を行っている状態に戻る。
【００５１】
このように実施の形態２では、複数人でＰｏＣ通話を行っているときに、ＰｏＣ通話を維持したまま一部の参加者間で音声電話に移行し、その通話の内容を、ＰｏＣ通話を行っている他のメンバーもＰｏＣの通話音声として聞くことができる。
【００５２】
実施の形態３．
実施の形態３では、携帯電話端末１Ａ及び携帯電話端末１Ｂ間で音声電話をしているときに、メンバーを追加して三者間でのＰｏＣ通話へ移行する場合について、図２及び図９を用いて説明する。
図９は実施の形態３に係り、音声電話からＰｏＣ通話へ移行する場合の携帯電話端末１内の各モジュール間における動作を示すシーケンス図である。
【００５３】
まず、携帯電話端末１Ｂと音声電話中に携帯電話端末１Ａのユーザが表示・入力部８を操作し通話メンバーの追加を指示すると、ＰｏＣ通話の開始操作が行われたことを表示・入力制御部１４を介して音声電話制御部１２に通知される。
音声電話制御部１２が、通信制御部１３に対して音声電話の切断要求メッセージの送信を指示すると（ＳＴ９０１）、通信制御部１３は、無線制御部１５及びアンテナ部９を介して無線ネットワーク２へ音声電話の切断要求メッセージを送信する。
通信制御部１３は、アンテナ部９及び無線制御部１５を介して無線ネットワーク２から音声電話の切断応答メッセージを受信すると、音声電話の切断応答を受信したことを音声電話制御部１２に通知する（ＳＴ９０２）。
【００５４】
音声電話の切断応答の通知を受けた音声電話制御部１２は、音声入出力制御部１０に音声電話モードの終了を指示し（ＳＴ９０３）、ＰｏＣ制御部１１に対してＰｏＣ通話の開始を指示する（ＳＴ９０４）。このとき音声電話制御部１２は、音声電話中の相手及びユーザが通話メンバーとして追加を指示した追加メンバーを、ＰｏＣ通話の発信先として指定する。
【００５５】
音声電話制御部１２からＰｏＣ通話を開始する指示を受けたＰｏＣ制御部１１が、通信制御部１３に対してＰｏＣ通話の発信を要求する発信要求メッセージの送信を指示すると、通信制御部１３は、無線制御部１５及びアンテナ部９を介して無線ネットワーク２へＰｏＣの発信要求メッセージを送信する。
【００５６】
通信制御部１３は、アンテナ部９及び無線制御部１５を介して無線ネットワーク２からＰｏＣ通話の発信応答メッセージを受信すると、ＰｏＣの発信応答を受信したことをＰｏＣ制御部１１に通知する。
ＰｏＣの発信応答の通知を受けたＰｏＣ制御部１１が、音声入出力制御部１０にＰｏＣモードの開始を指示すると、音声入出力制御部１０は、ＰｏＣモードによるマイク６及びスピーカ７の制御を開始し、ＰｏＣ制御部１１はＰｏＣ通話の状態になる。
【００５７】
このように、実施の形態３では、２人で音声通話をしているときに、他のメンバーを追加してＰｏＣによる通話に移行したい場合に、容易にＰｏＣ通話に移行することができる。
【図面の簡単な説明】
【００５８】
【図１】本発明に係る携帯電話端末１が無線ネットワーク２を介して通信を行う際のシステム構成図である。
【図２】本発明に係る携帯電話端末１のブロック構成図である。
【図３】ＰｏＣ通話中の携帯電話端末１の表示画面である。
【図４】実施の形態１に係るＰｏＣ内電話発信時、およびＰｏＣ内電話終了時の携帯電話端末１内の各モジュール間における動作を示すシーケンス図である。
【図５】実施の形態１に係る携帯電話端末１Ａ、１Ｂ、１Ｃ及び１ＤがＰｏＣ通話からＰｏＣ内電話へ移行する流れを示すシーケンス図である。
【図６】実施の形態２に係る携帯電話端末１の制御部５のモジュール構成図である。
【図７】実施の形態２に係りＰｏＣ内電話発信時、およびＰｏＣ内電話終了時の携帯電話端末１内の各モジュール間における動作を示すシーケンス図である。
【図８】実施の形態２に係る携帯電話端末１Ａ、１Ｂ、１Ｃ及び１ＤがＰｏＣ通話からＰｏＣ内電話へ移行する流れを示すシーケンス図である。
【図９】実施の形態３に係り、音声電話からＰｏＣ通話への移行時の携帯電話端末１内の各モジュール間における動作シーケンス図である。
【符号の説明】
【００５９】
１  携帯電話端末
２  無線ネットワーク
３  ＰｏＣ制御部
４  音声電話制御部
５  制御部
６  マイク
７  スピーカ
８  表示・入力部
９  アンテナ部
１０  音声入出力制御部
１１  ＰｏＣ制御部
１２  音声電話制御部
１３  通信制御部
１４  表示・入力制御部
１５  無線制御部
【図１】
2008187637.tif 000003
【図２】
2008187637.tif 000004
【図３】
2008187637.tif 000005
【図４】
2008187637.tif 000006
【図５】
2008187637.tif 000007
【図６】
2008187637.tif 000008
【図７】
2008187637.tif 000009
【図８】
2008187637.tif 000010
【図９】
2008187637.tif 000011